(57)【要約】  本発明はワイヤレス通信ネットワーク（ＷＣＮ）のコア・ネットワーク・ノード（ＣＮＮ）におけるページング最適化の為の方法に関し、ＷＣＮは、ＣＮＮ、アクセス・ネットワーク・ノード（ＡＮＮ）、及びユーザ機器（ＵＥ）を含み、ＣＮＮは、ＵＥのアクティブ・タイマー（ＡＴ）を維持し、方法は、ＣＮＮがページング・トリガリング指示を受信し、ＣＮＮが、当該指示によってページングされたＵＥの現在の状態を検出し、ＵＥがアイドル状態にあり、ＣＮＮによって維持されたＵＥのＡＴが開始されたときに、ＣＮＮがＡＮＮにページング・メッセージ及びＵＥのＡＴの残存時間を送る。本発明による方法は、ページング・メッセージ送信の成功確率を改善するために、現在の通信リソースの効率的な利用を実現するものである。更に、続いて起こるページング送信がＡＮＮで最適化され得ることを保証する為に、ＵＥのＡＴの残存時間は、ＡＮＮに送られる。
2016524398.tif 000002
【特許請求の範囲】
【請求項１】
ワイヤレス通信ネットワークのコア・ネットワーク・ノードにおけるページング最適化のための方法であって、前記ワイヤレス通信ネットワークは、前記コア・ネットワーク・ノード、アクセス・ネットワーク・ノード、およびユーザ機器を含み、前記コア・ネットワーク・ノードは、前記ユーザ機器のアクティブ・タイマーを維持する方法において、
Ａ．前記コア・ネットワーク・ノードがページング・トリガリング指示を受信するステップと、
Ｂ．前記コア・ネットワーク・ノードが前記ページング・トリガリング指示によってページングされた前記ユーザ機器の現在の状態を検出するステップと、
Ｃ．前記ユーザ機器がアイドル状態にあり、前記コア・ネットワーク・ノードによって維持された前記ユーザ機器の前記アクティブ・タイマーが開始されたとき、前記コア・ネットワーク・ノードが、前記アクセス・ネットワーク・ノードに、ページング・メッセージ、および前記ユーザ機器の前記アクティブ・タイマーの残存時間を送るステップと、
を含む、方法。
【請求項２】
前記ステップ（Ｃ）は、
−  前記ユーザ機器が休止状態にある場合、前記コア・ネットワーク・ノードが前記アクセス・ネットワーク・ノードに前記ページング・メッセージを送らないステップ、
をさらに含む、請求項１に記載の方法。
【請求項３】
前記ワイヤレス通信ネットワークは、ゲートウェイをさらに含み、前記ステップ（Ａ）で、前記コア・ネットワーク・ノードが前記ゲートウェイから前記ページング・トリガリング指示を受信する、請求項１に記載の方法。
【請求項４】
前記コア・ネットワーク・ノードは、モビリティ管理エンティティまたはサービスを提供するＧＰＲＳサポート・ノードである、請求項１に記載の方法。
【請求項５】
前記アクセス・ネットワーク・ノードは、基地局、無線ネットワーク・コントローラ、または基地局コントローラである、請求項１に記載の方法。
【請求項６】
前記コア・ネットワーク・ノードは、前記ユーザ機器のＥＰＳ接続管理ステート・マシンと同期された第１のステート・マシンを有する、請求項１乃至５のいずれか１項に記載の方法。
【請求項７】
−  前記第１のステート・マシンが接続されている状態からアイドル状態に入るとき、前記第１のステート・マシンの前記アクティブ・タイマーが開始され、前記タイマーの期限が切れるとき、前記第１のステート・マシンは休止状態に入り、
−  前記第１のステート・マシンが休止状態にあり、前記ユーザ機器から要求メッセージを受信するとき、前記第１のステート・マシンはアイドル状態に入る、
請求項６に記載の方法。
【請求項８】
前記要求メッセージは、トラッキング領域更新要求メッセージ、ルーティング領域更新要求メッセージ、サービス要求メッセージ、または拡張されたサービス要求メッセージを含む、請求項７に記載の方法。
【請求項９】
前記コア・ネットワーク・ノードは、前記ユーザ機器の現在の状態を示す休止状態インジケータを有し、前記休止状態インジケータは、前記コア・ネットワーク・ノードで維持されるユーザ機器コンテキストで維持され、
−  前記休止状態インジケータは、前記コア・ネットワーク・ノードで維持されている前記ユーザ機器のアクティブ・タイマーの期限が切れるとき、前記ユーザ機器が休止状態にあることを示すように設定され、
−  前記休止状態インジケータは、前記コア・ネットワーク・ノードが前記ユーザ機器から要求メッセージを受信するとき、前記ユーザ機器が非休止状態にあることを示すように再設定される、
請求項１乃至５のいずれか１項に記載の方法。
【請求項１０】
ワイヤレス通信ネットワークのアクセス・ネットワーク・ノードにおけるページング最適化のための方法であって、前記ワイヤレス通信ネットワークは、前記コア・ネットワーク・ノード、アクセス・ネットワーク・ノード、およびユーザ機器を含み、前記コア・ネットワーク・ノードは、前記ユーザ機器のアクティブ・タイマーを維持する方法において、
Ｐ：前記アクセス・ネットワーク・ノードが、前記コア・ネットワーク・ノードから、ページング・メッセージ、および前記ユーザ機器の前記アクティブ・タイマーの残存時間を受信するステップと、
Ｑ：前記アクセス・ネットワーク・ノードが、使用可能なページング機会が前記残存時間内に存在するかどうか検出し、使用可能なページング機会が前記残存時間内に存在する場合、前記ユーザ機器に前記ページング・メッセージを送るために前記使用可能なページング機会を使用するステップと、
を含む、方法。
【請求項１１】
前記アクセス・ネットワーク・ノードは、前記ステップ（Ｑ）で前記使用可能な機会が前記残存時間内に存在しないことを検出するとき、前記コア・ネットワーク・ノードに失敗指示を送る、請求項１０に記載の方法。
【請求項１２】
前記失敗指示は、前記ユーザ機器が到達可能でないか、または前記ページング手順が失敗することを示すように構成される、請求項１１に記載の方法。
【発明の詳細な説明】
【技術分野】
【０００１】
本発明は、ワイヤレス通信技術に関し、特に、ワイヤレス通信ネットワークのコア・ネットワーク・ノードまたはアクセス・ネットワーク・ノードのページング最適化のための方法に関する。
【背景技術】
【０００２】
リリース１２のマシン・タイプ通信サービスについて、「マシン・タイプおよび他のモバイル・データ・アプリケーションの通信拡張（Ｍａｃｈｉｎｅ−Ｔｙｐｅ  ａｎｄ  Ｏｔｈｅｒ  Ｍｏｂｉｌｅ  ｄａｔａ  Ａｐｐｌｉｃａｔｉｏｎｓ  ｃｏｍｍｕｎｉｃａｔｉｏｎｓ  ｅｎｈａｎｃｅｍｅｎｔｓ）」と命名された親ワークアイテム（ＷＩ）がＳＡ２で承認されている。このＷＩには、４つの構成部分が含まれている。本発明では、「ＵＥＰＣＯＰ：ＵＥ  Ｐｏｗｅｒ  Ｃｏｎｓｕｍｐｔｉｏｎ  Ｏｐｔｉｍｉｚａｔｉｏｎｓ（ＵＥ電力消費の最適化）」の構成部分が扱われている。ＵＥＰＣＯＰに対する議論において、新しいＥＣＭ（ＥＰＳ  Ｃｏｎｎｅｃｔｉｏｎ  Ｍａｎａｇｅｍｅｎｔ：ＥＰＳ接続管理）モデルが、新しいＥＣＭ休止状態を用いるＴＲ２３．８８７のＵＥに対して規定されている。ＥＣＭモデルの基本的な考えは、より長い停止期間があるときに、到達可能な時間を制限することである。ページングのためのＵＥの到達可能な期間は、接続されている状態からアイドル状態に入るたびに、アクティブ・タイマーの時間としてのみ規定される。
【０００３】
具体的には、図１は、ユーザ機器におけるＥＣＭステート・マシンの概略図を示している。図１に図示するように、ユーザ機器、すなわちＥＣＭステート・マシンのＥＣＭモデルは、３つの状態を有する。すなわち、ＥＣＭ接続された状態、ＥＣＭアイドル状態、およびＥＣＭ休止状態である。ユーザ機器が接続されている状態のとき、対応するＲＲＣ接続が解放された場合、ＥＣＭステート・マシンは、ＥＣＭアイドル状態に入る。一方、ＥＣＭステート・マシンのアクティブ・タイマーが開始され、アクティブ・タイマーで事前に定められた時間が過ぎると、すなわち、アクティブ・タイマーの期限が切れると、ＥＣＭステート・マシンは休止状態に入る。ＥＣＭステート・マシンが休止状態にあり、定期的なトラッキング領域更新の期限が切れるか、またはアクティブな通信が必要である場合、ＥＣＭステート・マシンは、再びアイドル状態に入り、次いで、ＲＲＣ接続が確立された場合、ＥＣＭステート・マシンは、再び接続された状態に入る。ＥＣＭステート・マシンは、上記のように機能する。
【０００４】
ユーザ機器は、使用されていないときは休止状態にある場合があるため、そのようなＥＣＭモデルを用いるマシン・タイプ・ユーザ機器は、エネルギーをより良好に節約することができる。しかしながら、たとえば、ユーザ機器が休止状態にある場合、そのようなＥＣＭモデルを用いるユーザ機器は到達可能ではなく、それに送られたページングに対して応答しない。コア・ネットワーク・ノードの観点から、ユーザ機器が休止状態に入ると、ページングは機能しない。たとえば、ソフトウェア更新アプリケーションまたは構成メッセージの更新など、遅延を重要視しないアプリケーションについては、ユーザ機器が、それに送られたページングに対して応答しなくても、大きな問題はない。しかしながら、アップリンク報告を必要とする即時にトリガーされるアプリケーションでは受け入れ可能ではない。現在の仕様では、ユーザ機器識別子Ｓ−ＴＭＳＩを使用するＥＰＳのページングの再送信はＴ３４１３タイマーによって制御される。コア・ネットワーク・ノードが、タイマーによって指示された時間内にページングに対する応答を受信しない場合、タイマーの期限が切れた後にページングが再送信される。
【０００５】
ｅＮＢのアクセス・ネットワーク・ノードの観点から、コア・ネットワーク・ノードからページング・メッセージを受信した後に、ページング・メッセージを送信するために適切なページング機会（ｐａｇｉｎｇ  ｏｃｃａｓｉｏｎ）を選択するべきである。しかしながら、ページングされたユーザ機器が休止状態にある場合、アクセス・ネットワーク・ノードは、ページング・メッセージを配信する必要はない。なぜなら、そのようなページングの結果は失敗するに違いないからである。
【発明の概要】
【発明が解決しようとする課題】
【０００６】
上記に鑑みて、休止状態を用いるステート・マシンがユーザ機器に導入された場合、マシン・タイプ・ユーザ機器は、エネルギーを節約することができるが、一方で、たとえば、ページングの失敗の確率も休止状態を用いないユーザ機器より高いなど、何らかの負の影響も導入される。したがって、ユーザ機器が休止状態に入る場合、ユーザ機器に送られるページングまたはページング再送信は回避されるべきである。さらに、コア・ネットワーク・ノードは、ユーザ機器が休止状態に入る前に、すなわちアクティブ・タイマーの期限が切れる前に、ページングを送る適切なページング機会を選択するべきである。そうでない場合、コア・ネットワーク・ノードがユーザ機器にページングを送っても、ページングは失敗するに違いなく、したがって、通信リソースが浪費される。
【０００７】
上記に特定した従来技術およびその技術的問題に鑑みて、ページング機会も適切に選択することができる、ワイヤレス通信ネットワークのコア・ネットワーク・ノードおよびアクセス・ネットワーク・ノードにおけるページング最適化のための方法を提供することが望ましい。
【課題を解決するための手段】
【０００８】
本発明の第１の態様は、ワイヤレス通信ネットワークのコア・ネットワーク・ノードにおけるページング最適化のための方法を提案し、ワイヤレス通信ネットワークは、コア・ネットワーク・ノード、アクセス・ネットワーク・ノード、およびユーザ機器を含み、コア・ネットワーク・ノードは、ユーザ機器のアクティブ・タイマーを維持し、方法は、
Ａ．コア・ネットワーク・ノードがページング・トリガリング指示を受信するステップと、
Ｂ．コア・ネットワーク・ノードが、ページング・トリガリング指示によってページングされたユーザ機器の現在の状態を検出するステップと、
Ｃ．ユーザ機器がアイドル状態にあり、コア・ネットワーク・ノードによって維持されたユーザ機器のアクティブ・タイマーが開始されたとき、コア・ネットワーク・ノードがアクセス・ネットワーク・ノードに、ページング・メッセージ、およびユーザ機器のアクティブ・タイマーの残存時間を送るステップと、
を含む。
【０００９】
本発明による方法を使用することによって、コア・ネットワーク・ノードは、ユーザ機器がアイドル状態にあり、ユーザ機器のタイマーが開始された場合のみ、アクセス・ネットワーク・ノードに、ページング・メッセージ、およびユーザ機器のアクティブ・タイマーの残存時間を送る。したがって、通信リソースはより効率的に使用され、ページング・メッセージ送信の成功確率が改善される。さらに、続いて起こるページング送信がアクセス・ネットワーク・ノードで最適化され得ることを保証するために、ユーザ機器のアクティブ・タイマーの残存時間は、アクセス・ネットワーク・ノードに送られる。
【００１０】
本発明の一実施形態では、ステップ（Ｃ）は、
−  ユーザ機器が休止状態にある場合、コア・ネットワーク・ノードは、アクセス・ネットワーク・ノードにページング・メッセージを送らないこと、
をさらに含む。そのような方法では、ユーザ機器が休止状態にある場合、ページング・メッセージが送られることが回避される。したがって、ワイヤレス通信リソースの利用が改善される。
【００１１】
本発明の一実施形態では、ワイヤレス通信ネットワークは、ゲートウェイをさらに含み、コア・ネットワーク・ノードは、ゲートウェイからページング・トリガリング指示を受信する。当業者は、本明細書ではゲートウェイがＳＧＷおよびＧＧＳＮを含むことを理解するべきである。
【００１２】
本発明の一実施形態では、コア・ネットワーク・ノードは、モビリティ管理エンティティＭＭＥまたはサービスを提供するＧＰＲＳサポート・ノードＳＧＳＮである。
【００１３】
本発明の一実施形態では、アクセス・ネットワーク・ノードは、基地局ｅＮＢ、無線ネットワーク・コントローラＲＮＣ、または基地局コントローラＢＳＣである。
【００１４】
本発明の一実施形態では、コア・ネットワーク・ノードは、ユーザ機器のＥＰＳ接続管理ステート・マシンと同期された第１のステート・マシンを有する。そのような方法では、コア・ネットワーク・ノードは、ページングを最適化するために、ページングされたユーザ機器の現在の状態を迅速に取得することができる。
【００１５】
あるいは、本発明の一実施形態では、第１のステート・マシンが接続されている状態からアイドル状態に入るとき、第１のステート・マシンのアクティブ・タイマーが開始され、タイマーの期限が切れるとき、第１のステート・マシンは休止状態に入る。一方、第１のステート・マシンが休止状態にあり、ユーザ機器から要求メッセージを受信するとき、第１のステート・マシンはアイドル状態に入る。
【００１６】
本発明の一実施形態では、要求メッセージは、トラッキング領域更新（ＴＡＵ）要求メッセージ、ルーティング領域更新（ＲＡＵ）要求メッセージ、サービス要求メッセージ、または拡張されたサービス要求メッセージを含む。
【００１７】
あるいは、本発明の一実施形態では、コア・ネットワーク・ノードは、ユーザ機器の現在の状態を示す休止状態インジケータを有し、休止状態インジケータは、コア・ネットワーク・ノードで維持されるユーザ機器コンテキストで維持され、
休止状態インジケータは、コア・ネットワーク・ノードで維持されているユーザ機器のアクティブ・タイマーの期限が切れるとき、ユーザ機器が休止状態にあることを示すように設定され、
休止状態インジケータは、コア・ネットワーク・ノードがユーザ機器から要求メッセージを受信するとき、ユーザ機器が非休止状態にあることを示すように再設定される。
【００１８】
当業者は、本明細書で言及された要求メッセージは、また、トラッキング領域更新（ＴＡＵ）要求メッセージ、ルーティング領域更新（ＲＡＵ）要求メッセージ、サービス要求メッセージ、または拡張されたサービス要求メッセージを含むことを理解するべきである。
【００１９】
本発明の第２の態様は、ワイヤレス通信ネットワークのアクセス・ネットワーク・ノードにおけるページング最適化のための方法を提供し、ワイヤレス通信ネットワークは、コア・ネットワーク・ノード、アクセス・ネットワーク・ノード、およびユーザ機器を含み、コア・ネットワーク・ノードは、ユーザ機器のアクティブ・タイマーを維持し、方法は、
Ｐ：アクセス・ネットワーク・ノードが、コア・ネットワーク・ノードから、ページング・メッセージ、およびユーザ機器のアクティブ・タイマーの残存時間を受信するステップと、
Ｑ：アクセス・ネットワーク・ノードが、使用可能なページング機会が残存時間内に存在するかどうか検出し、使用可能なページング機会が残存時間内に存在する場合、ユーザ機器にページング・メッセージを送るために使用可能なページング機会を使用するステップと、
を含む。
【００２０】
本発明の一実施形態では、ステップ（Ｑ）で使用可能な機会が残存時間内に存在しないことをアクセス・ネットワーク・ノードが検出するとき、アクセス・ネットワーク・ノードは、コア・ネットワーク・ノードに失敗指示を送る。
【００２１】
本発明の一実施形態では、失敗指示は、ユーザ機器が到達可能でないか、またはページング手順が失敗することを示すように構成される。
【００２２】
本発明の他の特徴、目的、および利点は、図面を参照して限定を目的としない実施形態についての以下の詳細な説明を参照することで、より明白になるであろう。
【図面の簡単な説明】
【００２３】
【図１】ユーザ機器のＥＣＭステート・マシンを示す概略図１００である。
【図２】本発明による、コア・ネットワーク・ノードのページング最適化のための方法の一実施形態による流れ図２００を示す図である。
【図３】ＭＭＥのＥＣＭステート・マシンを示す概略図３００である。
【図４】ＳＧＳＮのＰＭＭステート・マシンを示す概略図４００である。
【図５】本発明による、アクセス・ネットワーク・ノードのページング最適化のための方法の一実施形態による流れ図５００を示す図である。
【図６】本発明による、コア・ネットワーク・ノードのページング最適化のための方法の別の実施形態による流れ図６００を示す図である。
【図７】ページングが正しく送られるシステムの一実施形態による流れ図７００を示す図である。
【図８】ページング送信が失敗するシステムの別の実施形態による流れ図８００を示す図である。
【発明を実施するための形態】
【００２４】
同一または同様のデバイス（モジュール）またはステップは、図面の全体にわたって同一または同様の参照番号によって示されている。
【００２５】
特定の好適な実施形態について、本発明の一部を構成する図面に関して以下に記述する。図は、本発明が実施され得る特定の実施形態を典型的に示すものである。代表的な実施形態は、本発明のすべての実施形態について論じることを意図するものではない。理解され得るように、本発明の範囲から逸脱することなく、他の実施形態が可能になり得るか、または構造的もしくは論理的な修正を行うことができる。したがって、以下の詳細な説明は、限定することを意図するものではなく、本発明の範囲は、添付された請求項において規定される。
【００２６】
図１は、ユーザ機器のＥＣＭステート・マシンの概略図１００を示している。「背景技術」の節に記述したので、ここでは図１について繰り返し記述することは避ける。
【００２７】
ページング送信の成功確率を改善し、制限されたワイヤレス通信リソースを効率的に利用するために、本発明は、ワイヤレス通信ネットワークのコア・ネットワーク・ノードにおけるページング最適化のための方法を提供し、ワイヤレス通信ネットワークは、コア・ネットワーク・ノード、アクセス・ネットワーク・ノード、およびユーザ機器を含み、コア・ネットワーク・ノードは、ユーザ機器のアクティブ・タイマーを維持する。図３に示すように、方法は以下のステップを含む。
最初に、ステップ２１０で、コア・ネットワーク・ノードは、ページング・トリガリング指示を受信する。
次いで、ステップ２２０で、コア・ネットワーク・ノードは、ページング・トリガリング指示によってページングされたユーザ機器の現在の状態を検出する。
最後に、ステップ２３０で、ユーザ機器がアイドル状態にあり、コア・ネットワーク・ノードによって維持されたユーザ機器のアクティブ・タイマーが開始されたときに、コア・ネットワーク・ノードは、アクセス・ネットワーク・ノードにページング・メッセージ、およびユーザ機器のアクティブ・タイマーの残存時間を送る。有利には、または代わりとして、ステップ２３０で、ユーザ機器がアイドル状態にある場合、ページング・メッセージは、コア・ネットワーク・ノードによってアクセス・ネットワーク・ノードに送られない。そのような方法では、ユーザ機器が休止状態にある場合に、ページング・メッセージが送られることが回避される。したがって、ワイヤレス通信リソースの利用が改善される。
【００２８】
有利なことに、ワイヤレス通信ネットワークはゲートウェイをさらに含み、ステップ２１０で、コア・ネットワーク・ノードは、ゲートウェイからページング・トリガリング指示を受信する。当業者は、本明細書では、ゲートウェイは、ＳＧＷおよびＧＧＳＮを含むことを理解するべきである。
【００２９】
あるいは、コア・ネットワーク・ノードは、モビリティ管理エンティティＭＭＥまたはサービスを提供するＧＰＲＳサポート・ノードＳＧＳＮである。アクセス・ネットワーク・ノードは、基地局ｅＮＢ、無線ネットワーク・コントローラＲＮＣ、または基地局コントローラＢＳＣである。
【００３０】
図２に示した方法を実現するために、本発明は、すなわちステート・マシンまたは休止状態インジケータの支援により、ステップ２２０を実現するための以下の２つの方法を提供する。２つの方法について説明するために、図３および図４では、２つの可能なステート・マシンについてそれぞれ記述する。
【００３１】
図３は、ＭＭＥのＥＣＭステート・マシンの概略図３００を示している。当業者は、ＭＭＥは、コア・ネットワーク・ノードの実例にすぎないため、本発明が保護されるべき範囲に対する制限としては機能しないことを理解するべきである。図３に示すように、ユーザ機器、すなわち、ＥＣＭステート・マシンのＥＣＭモデルは３つの状態を有する。すなわち、ＥＣＭ接続された状態、ＥＣＭアイドル状態、およびＥＣＭ休止状態である。ユーザ機器が接続された状態にあるときにＳ１接続が解放されると、ＥＣＭステート・マシンは、ＥＣＭアイドル状態に入る。一方、ＥＣＭステート・マシンのアクティブ・タイマーが開始され、アクティブ・タイマーの事前に定められた時間が過ぎた場合、すなわちアクティブ・タイマーの期限が切れるとき、ＥＣＭステート・マシンは休止状態に入る。ＥＣＭステート・マシンが休止状態にあり、ＭＭＥが、トラッキング領域更新要求メッセージ、サービス要求メッセージ、または拡張されたサービス要求メッセージをユーザ機器から受信するとき、ＥＣＭステート・マシンは、再びアイドル状態に入り、次いで、Ｓ１接続が確立された場合、ＥＣＭステート・マシンは、再び接続された状態に入る。ＥＣＭステート・マシンは、上に記述したように機能する。
【００３２】
図４は、ＳＧＳＮのＰＭＭステート・マシンの概略図４００を示している。当業者は、ＳＧＳＮはコア・ネットワーク・ノードの実例にすぎないため、本発明が保護されるべき範囲に対する制限として機能しないことを理解するべきである。図４に示すように、ＳＧＳＮのＰＭＭ（パケット移動性管理）モデル、すなわち、ＰＭＭステート・マシンは、３つの状態を有する。すなわち、ＰＭＭ接続された状態、ＰＭＭアイドル状態、およびＰＭＭ休止状態である。ＳＧＳＮが接続された状態にあるときにＩｕ接続が解放されると、ＰＭＭステート・マシンは、ＰＭＭアイドル状態に入る。一方、ＰＭＭステート・マシンのアクティブ・タイマーが開始され、アクティブ・タイマーの事前に定められた時間が過ぎた場合、すなわち、アクティブ・タイマーの期限が切れるとき、ＰＭＭステート・マシンは休止状態に入る。ＰＭＭステート・マシンが休止状態にあり、ＳＧＳＮがルーティング領域更新要求メッセージ、サービス要求メッセージ、または拡張されたサービス要求メッセージをユーザ機器から受信するとき、ＰＭＭステート・マシンは再びアイドル状態に入り、次いで、Ｉｕ接続が確立された場合、ＰＭＭステート・マシンは、再び接続された状態に入る。ＰＭＭステート・マシンは、上に記述したように機能する。
【００３３】
具体的には、コア・ネットワーク・ノードは、実際には、ユーザ機器のＥＰＳ接続管理ステート・マシンと同期された第１のステート・マシンを有する。そのような方法では、コア・ネットワーク・ノードは、ページングを最適化するために、ページングされたユーザ機器の現在の状態を迅速に取得することができる。第１のステート・マシンが接続されている状態からアイドル状態に入るとき、第１のステート・マシンのアクティブ・タイマーが開始され、タイマーの期限が切れるとき、第１のステート・マシンは休止状態に入る。一方、第１のステート・マシンが休止状態にあり、ユーザ機器から要求メッセージを受信するとき、第１のステート・マシンはアイドル状態に入る。要求メッセージは、トラッキング領域更新（ＴＡＵ）要求メッセージ、ルーティング領域更新（ＲＡＵ）要求メッセージ、サービス要求メッセージ、または拡張されたサービス要求メッセージを含む。
【００３４】
上に言及したステート・マシンに加えて、上記の方法ステップ２２０を実現するために、ステート・マシンの代わりに休止状態インジケータが適用され得る。特に、コア・ネットワーク・ノードは、ユーザ機器の現在の状態を示す休止状態インジケータを有し、休止状態インジケータは、コア・ネットワーク・ノードで維持されるユーザ機器コンテキストで維持され、
休止状態インジケータは、コア・ネットワーク・ノードで維持されているユーザ機器のアクティブ・タイマーの期限が切れるとき、ユーザ機器が休止状態にあることを示すように設定され、
休止状態インジケータは、コア・ネットワーク・ノードがユーザ機器から要求メッセージを受信するとき、ユーザ機器が非休止状態にあることを示すように再設定される。
【００３５】
本発明による方法を使用することによって、コア・ネットワーク・ノードは、ユーザ機器がアイドル状態にあり、ユーザ機器のタイマーが開始された場合のみ、アクセス・ネットワーク・ノードに、ページング・メッセージ、およびユーザ機器のアクティブ・タイマーの残存時間を送る。したがって、通信リソースはより効率的に使用され、ページング・メッセージ送信の成功確率が改善される。さらに、続いて起こるページング送信がアクセス・ネットワーク・ノードで最適化され得ることを保証するために、ユーザ機器のアクティブ・タイマーの残存時間は、アクセス・ネットワーク・ノードに送られる。
【００３６】
したがって、上に記述されたコア・ネットワーク・ノードと協働するためには、ページング最適化を支援するための、アクセス・ネットワーク・ノードで実現される対応する方法が提供されなければならない。本発明は、また、ワイヤレス通信ネットワークのアクセス・ネットワーク・ノードにおけるページング最適化のための方法を提供し、ワイヤレス通信ネットワークは、コア・ネットワーク・ノード、アクセス・ネットワーク・ノード、およびユーザ機器を含み、コア・ネットワーク・ノードは、ユーザ機器のアクティブ・タイマーを維持する。図５に示すように、方法は、以下のステップを含む。
最初に、ステップ５１０で、アクセス・ネットワーク・ノードは、コア・ネットワーク・ノードから、ページング・メッセージ、およびユーザ機器のアクティブ・タイマーの残存時間を受信する。
次いで、ステップ５２０で、アクセス・ネットワーク・ノードは、使用可能なページング機会が残存時間内に存在するかどうかを検出し、使用可能なページング機会が残存時間内に存在する場合、ユーザ機器にページング・メッセージを送るために使用可能なページング機会を使用する。
【００３７】
有利には、または代わりとして、ステップ５２０で、使用可能な機会が残存時間内に存在しないことをアクセス・ネットワーク・ノードが検出するとき、アクセス・ネットワーク・ノードは、コア・ネットワーク・ノードに失敗指示を送る。有利なことに、失敗指示は、ユーザ機器が到達可能でないか、またはページング手順が失敗することを示すように構成される。
【００３８】
図６は、ワイヤレス通信ネットワークのコア・ネットワーク・ノードにおけるページング最適化のための方法の別の実施形態による流れ図６００を示している。図６に示すように、方法が始まると、コア・ネットワーク・ノードは、最初に、ページング・トリガリング指示を受信し、次いで、コア・ネットワーク・ノードは、アクティブ・タイマーの期限が切れるかどうかを判定する。アクティブ・タイマーの期限が切れている場合、方法は直接的に終了する。そうでない場合、コア・ネットワーク・ノードは、アクセス・ネットワーク・ノードにページング・メッセージおよびアクティブ・タイマーの残存時間を送り、残存時間は、現在のシステム時間からアクティブ・タイマーの期限が切れる時間までの残存時間である。
【００３９】
図７は、ページングが正しく送られるシステムの一実施形態による流れ図７００を示している。図７の図示のように、ＭＭＥは、ＳＧＷからページング・トリガリング指示を受信し、この実施形態のページング・トリガリング指示は、ダウンリンク・データ通知であり、ＭＭＥは、そのアクティブ・タイマーの期限が切れているかどうかを検出する。アクティブ・タイマーの期限が切れている場合、動作は行われない。すなわち、ページング・メッセージは、アクセス・ネットワーク・ノードに送られない。そうでない場合、ページング・メッセージおよびアクティブ・タイマーの残存時間は、基地局ｅＮＢなどのアクセス・ネットワーク・ノードに送られる。使用可能なページング機会が残存時間内に存在する場合、コア・ネットワーク・ノードは、対応するユーザ機器にページング・メッセージを送るために、使用可能な機会を使用する。すなわち、ページング・メッセージは正しく送られる。
【００４０】
図８は、ページング送信が失敗するシステムの別の実施形態による流れ図８００を示している。図８に図示するように、同図の方法ステップは前述した方法ステップで同じであり、違いは、ゲートウェイがＳＧＷではなくＧＧＳＮであり、コア・ネットワーク・ノードはＭＭＥではなくＳＧＳＮであり、アクセス・ネットワーク・ノードは、基地局ではなくＲＮＣであることのみである。当業者は、前者は後者によって置き換えられ得ることを理解するべきである。図７と図８の間の差は、また、残存時間内に適切なページング機会がなく、ページング・メッセージは、ユーザ機器に送られない、すなわち、ページング・メッセージ送信に失敗することである。あるいは、アクセス・ネットワーク・ノードＲＮＣは、コア・ネットワーク・ノードＳＧＳＮに送信失敗インジケータを送ることができ、失敗インジケータは、ユーザ機器が到達可能ではない機器であることを示しており、または、使用可能なページング機会がなく、それによって、ページング・メッセージ送信は失敗したことを示している。
【００４１】
コア・ネットワーク・ノードまたはアクセス・ネットワーク・ノードにおけるページング最適化のための上記の方法は、ＬＴＥシステムおよびＵＭＴＳシステムで適用され得る。
【００４２】
本発明による方法は、ページング・メッセージ送信の成功確率を改善するために、現在の通信リソースの効率的な利用を実現するものである。さらに、続いて起こるページング送信がアクセス・ネットワーク・ノードで最適化され得ることを保証するために、ユーザ機器のアクティブ・タイマーの残存時間は、アクセス・ネットワーク・ノードに送られる。
【００４３】
本発明は、明らかに前述の代表的な実施形態に限定されず、本発明の精神または本質から逸脱することなく、他の特定の形態で具体化することができることは、当業者には自明であろう。したがって、実施形態は、代表的なものであり限定を目的としないものと解釈するものとする。さらに、明らかに、「含む（ｃｏｍｐｒｉｓｉｎｇ）」という用語は他の要素（複数可）またはステップ（複数可）を除外するものではなく、「１つの（ａ）」または「１つの（ａｎ）」という用語は複数を排除するものではない。装置の請求項に記載された複数の要素は、あるいは、単一の要素として具体化することができる。「第１の（ｆｉｒｓｔ）」、「第２の（ｓｅｃｏｎｄ）」などの用語は、名前を指定することを意図するものであり、特定の順序を提案するものではない。
【図１】
2016524398.tif 000003
【図２】
2016524398.tif 000004
【図３】
2016524398.tif 000005
【図４】
2016524398.tif 000006
【図５】
2016524398.tif 000007
【図６】
2016524398.tif 000008
【図７】
2016524398.tif 000009
【図８】
2016524398.tif 000010
【国際調査報告】
2016524398.tif 000011
2016524398.tif 000012
2016524398.tif 000013
2016524398.tif 000014